(57)【要約】車両の走行状況に応じたコンテンツの再生リストを作成するリスト作成プログラムを提供する。複数の携帯無線端末に保存されているコンテンツのコンテンツ情報と、車両の走行状況に関する情報を取得する。取得したコンテンツ情報と車両の走行状況に関する情報を用いて、コンテンツを再生するためのコンテンツ再生リストを作成する。
2019009039.tif 000002
【特許請求の範囲】
【請求項１】
複数の携帯無線端末に保存されているコンテンツのコンテンツ情報を取得する第１の取得手段、
車両の走行状況に関する情報を取得する第２の取得手段、
前記第１の取得手段により取得した前記コンテンツ情報と、前記第２の取得手段により取得した前記車両の走行状況に関する情報とを用いて、前記コンテンツを再生するためのコンテンツ再生リストを作成する作成手段、
前記作成手段により作成した前記コンテンツ再生リストの再生順に従って、前記車両に設けられた再生装置で前記コンテンツを再生するよう前記複数の携帯無線端末を制御する制御手段、
としてコンピュータを機能させるためのリスト作成プログラム。
【請求項２】
前記制御手段は、前記コンテンツを前記再生装置に送信するよう、当該コンテンツを保持する携帯無線端末に再生指示信号を送信することを特徴とする請求項１に記載のリスト作成プログラム。
【請求項３】
前記コンテンツ情報は、前記コンテンツに付与されたタグ情報であり、当該タグ情報は、歌詞、メロディー、テンポ、波長解析データ、発売時期、アーティスト名、楽器種別、タイアップ情報、曲名又はアルバム名称、製作国、レーベル種別、撮影場所の情報、のうち少なくともいずれかを含むことを特徴とする請求項１又は２に記載のリスト作成プログラム。
【請求項４】
前記車両の走行状況に関する情報は、車両の位置情報、車両の目的地情報、車両の速度情報、車両のドライブ行程における時間情報、車両のドライブ行程における天気の情報、車両のドライブ行程における季節の情報の少なくともいずれかを含むことを特徴とする請求項１乃至３のいずれか１項に記載のリスト作成プログラム。
【請求項５】
前記複数の携帯無線端末のうちのいずれかを、前記作成手段および前記制御手段として機能させる請求項１乃至４のいずれか１項に記載のリスト作成プログラム。
【請求項６】
前記複数の携帯無線端末とネットワークを介して通信可能なサーバを、前記作成手段および前記制御手段として機能させる請求項１乃至４のいずれか１項に記載のリスト作成プログラム。
【請求項７】
前記複数の携帯無線端末と近接無線通信により通信可能なコンテンツ再生装置を、前記作成手段および前記制御手段として機能させる請求項１乃至４のいずれか１項に記載のリスト作成プログラム。
【請求項８】
前記複数の携帯無線端末は、所定の無線通信範囲内にあることを特徴とする請求項１乃至７のいずれか１項に記載のリスト作成プログラム。
【請求項９】
前記所定の無線通信範囲は、前記車両の車内空間であることを特徴とする請求項８に記載のリスト作成プログラム。
【請求項１０】
複数の携帯無線端末に保存されているコンテンツのコンテンツ情報を取得する第１の取得工程と、
車両の走行状況に関する情報を取得する第２の取得工程と、
前記第１の取得工程において取得した前記コンテンツ情報と、前記第２の取得工程において取得した前記車両の走行状況に関する情報とを用いて、前記コンテンツを再生するためのコンテンツ再生リストを作成する作成工程と、
前記作成工程において作成した前記コンテンツ再生リストの再生順に従って、前記車両に設けられた再生装置で前記コンテンツを再生するよう前記複数の携帯無線端末を制御する制御工程と、
を有することを特徴とするリスト作成方法。
【請求項１１】
前記制御工程では、前記コンテンツを前記再生装置に送信するよう、当該コンテンツを保持する携帯無線端末に再生指示信号を送信することを特徴とする請求項１０に記載のリスト作成方法。
【請求項１２】
前記コンテンツ情報は、前記コンテンツに付与されたタグ情報であり、当該タグ情報は、歌詞、メロディー、テンポ、波長解析データ、発売時期、アーティスト名、楽器種別、タイアップ情報、曲名又はアルバム名称、製作国、レーベル種別、撮影場所の情報、のうち少なくともいずれかを含むことを特徴とする請求項１０又は１１に記載のリスト作成方法。
【請求項１３】
前記車両の走行状況に関する情報は、車両の位置情報、車両の目的地情報、車両の速度情報、車両のドライブ行程における時間情報、車両のドライブ行程における天気の情報、車両のドライブ行程における季節の情報の少なくともいずれかを含むことを特徴とする請求項１０乃至１２のいずれか１項に記載のリスト作成方法。
【請求項１４】
前記複数の携帯無線端末のうちのいずれかが、前記作成工程および前記制御工程を実行することを特徴とする請求項１０乃至１３のいずれか１項に記載のリスト作成方法。
【請求項１５】
前記複数の携帯無線端末とネットワークを介して通信可能なサーバが、前記作成工程および前記制御工程を実行することを特徴とする請求項１０乃至１３のいずれか１項に記載のリスト作成方法。
【請求項１６】
前記複数の携帯無線端末と近接無線通信により通信可能な再生装置が、前記作成工程および前記制御工程を実行することを特徴とする請求項１０乃至１３のいずれか１項に記載のリスト作成方法。
【請求項１７】
前記複数の携帯無線端末は、所定の無線通信範囲内にあることを特徴とする請求項１０乃至１６のいずれか１項に記載のリスト作成方法。
【請求項１８】
前記所定の無線通信範囲は、前記車両の車内空間であることを特徴とする請求項１７に記載のリスト作成方法。
【請求項１９】
複数の携帯無線端末に保存されているコンテンツのコンテンツ情報を取得する第１の取得手段と、
車両の走行状況に関する情報を取得する第２の取得手段と、
前記第１の取得手段により取得した前記コンテンツ情報と、前記第２の取得手段により取得した前記車両の走行状況に関する情報とを用いて、前記コンテンツを再生するためのコンテンツ再生リストを作成する作成手段と、
前記作成手段により作成した前記コンテンツ再生リストの再生順に従って、前記車両に設けられた再生装置で前記コンテンツを再生するよう前記複数の携帯無線端末を制御する制御手段と、
を備えることを特徴とするリスト作成装置。
【請求項２０】
複数の携帯無線端末に保存されているコンテンツのコンテンツ情報を取得する第１の取得手段と、
車両の走行状況に関する情報を取得する第２の取得手段と、
前記第１の取得手段により取得した前記コンテンツ情報と、前記第２の取得手段により取得した前記車両の走行状況に関する情報とを用いて、前記コンテンツを再生するためのコンテンツ再生リストを作成する作成手段と、
前記作成手段により作成した前記コンテンツ再生リストの再生順に従って、前記車両に設けられた再生装置で前記コンテンツを再生するよう前記複数の携帯無線端末を制御する制御手段と、
を備えることを特徴とするリスト作成システム。
【請求項２１】
複数の携帯無線端末に保存されているコンテンツのコンテンツ情報を取得する第１の取得手段、
車両の走行状況に関する情報を取得する第２の取得手段、
前記第１の取得手段により取得した前記コンテンツ情報と、前記第２の取得手段により取得した前記車両の走行状況に関する情報とを用いて、前記コンテンツを再生するためのコンテンツ再生リストを作成する作成手段、
前記作成手段により作成した前記コンテンツ再生リストの再生順に従って、前記車両に設けられた再生装置で前記コンテンツを再生するよう前記複数の携帯無線端末を制御する制御手段、
としてコンピュータを機能させるためのリスト作成プログラムを記憶するコンピュータ読取可能な記憶媒体。
【請求項２２】
前記制御手段は、前記コンテンツを前記再生装置に送信するよう、当該コンテンツを保持する携帯無線端末に再生指示信号を送信することを特徴とする請求項２１に記載の記憶媒体。
【請求項２３】
前記コンテンツ情報は、前記コンテンツに付与されたタグ情報であり、当該タグ情報は、歌詞、メロディー、テンポ、波長解析データ、発売時期、アーティスト名、楽器種別、タイアップ情報、曲名又はアルバム名称、製作国、レーベル種別、撮影場所の情報、のうち少なくともいずれかを含むことを特徴とする請求項２１又は２２に記載の記憶媒体。
【請求項２４】
前記車両の走行状況に関する情報は、車両の位置情報、車両の目的地情報、車両の速度情報、車両のドライブ行程における時間情報、車両のドライブ行程における天気の情報、車両のドライブ行程における季節の情報の少なくともいずれかを含むことを特徴とする請求項２１乃至２３のいずれか１項に記載の記憶媒体。
【請求項２５】
前記複数の携帯無線端末のうちのいずれかを、前記作成手段および前記制御手段として機能させるためのリスト作成プログラムを記憶する請求項２１乃至２４のいずれか１項に記載の記憶媒体。
【請求項２６】
前記複数の携帯無線端末とネットワークを介して通信可能なサーバを、前記作成手段および前記制御手段として機能させるためのリスト作成プログラムを記憶する請求項２１乃至２４のいずれか１項に記載の記憶媒体。
【請求項２７】
前記複数の携帯無線端末と近接無線通信により通信可能なコンテンツ再生装置を、前記作成手段および前記制御手段として機能させるためのリスト作成プログラムを記憶する請求項２１乃至２４のいずれか１項に記載の記憶媒体。
【請求項２８】
前記複数の携帯無線端末は、所定の無線通信範囲内にあることを特徴とする請求項２１乃至２７のいずれか１項に記載の記憶媒体。
【請求項２９】
前記所定の無線通信範囲は、前記車両の車内空間であることを特徴とする請求項２８に記載の記憶媒体。
【発明の詳細な説明】
【技術分野】
【０００１】
本発明は、コンテンツの再生リストを作成するリスト作成プログラム、リスト作成方法、リスト作成装置、リスト作成システムおよび記憶媒体に関する。
【背景技術】
【０００２】
楽曲のプレイリストデータに基づいて楽曲を再生する技術が知られている。特許文献１には、車両に搭載されるナビゲーション装置と音楽再生装置とを組み合わせた構成が記載されている。特許文献１によれば、目的地がナビゲーション装置に設定されると、目的地に基いて楽曲のプレイリストデータが選択され、選択したプレイリストに基いた楽曲再生が行われる。
【先行技術文献】
【特許文献】
【０００３】
【特許文献１】特開２００６−２６６８０７号公報
【発明の概要】
【発明が解決しようとする課題】
【０００４】
しかしながら、特許文献１に記載の構成では、車両の走行状況に応じて楽曲を変化させることが難しく、プレイリストに変化を与え難い。【０００５】
本発明は、車両の走行状況に応じたコンテンツの再生リストを作成するリスト作成プログラム、リスト作成方法、リスト作成装置、リスト作成システムおよび記憶媒体を提供することを目的とする。
【課題を解決するための手段】
【０００６】
本発明に係るリスト作成プログラムは、複数の携帯無線端末に保存されているコンテンツのコンテンツ情報を取得する第１の取得手段、車両の走行状況に関する情報を取得する第２の取得手段、前記第１の取得手段により取得した前記コンテンツ情報と、前記第２の取得手段により取得した前記車両の走行状況に関する情報とを用いて、前記コンテンツを再生するためのコンテンツ再生リストを作成する作成手段、前記作成手段により作成した前記コンテンツ再生リストの再生順に従って、前記車両に設けられた再生装置で前記コンテンツを再生するよう前記複数の携帯無線端末を制御する制御手段、としてコンピュータを機能させる。【０００７】
また、本発明に係るリスト作成方法は、複数の携帯無線端末に保存されているコンテンツのコンテンツ情報を取得する第１の取得工程と、車両の走行状況に関する情報を取得する第２の取得工程と、前記第１の取得工程において取得した前記コンテンツ情報と、前記第２の取得工程において取得した前記車両の走行状況に関する情報とを用いて、前記コンテンツを再生するためのコンテンツ再生リストを作成する作成工程と、前記作成工程において作成した前記コンテンツ再生リストの再生順に従って、前記車両に設けられた再生装置で前記コンテンツを再生するよう前記複数の携帯無線端末を制御する制御工程と、を有することを特徴とする。【０００８】
また、本発明に係るリスト作成装置は、複数の携帯無線端末に保存されているコンテンツのコンテンツ情報を取得する第１の取得手段と、車両の走行状況に関する情報を取得する第２の取得手段と、前記第１の取得手段により取得した前記コンテンツ情報と、前記第２の取得手段により取得した前記車両の走行状況に関する情報とを用いて、前記コンテンツを再生するためのコンテンツ再生リストを作成する作成手段と、前記作成手段により作成した前記コンテンツ再生リストの再生順に従って、前記車両に設けられた再生装置で前記コンテンツを再生するよう前記複数の携帯無線端末を制御する制御手段と、を備えることを特徴とする。【０００９】
また、本発明に係るリスト作成システムは、複数の携帯無線端末に保存されているコンテンツのコンテンツ情報を取得する第１の取得手段と、車両の走行状況に関する情報を取得する第２の取得手段と、前記第１の取得手段により取得した前記コンテンツ情報と、前記第２の取得手段により取得した前記車両の走行状況に関する情報とを用いて、前記コンテンツを再生するためのコンテンツ再生リストを作成する作成手段と、前記作成手段により作成した前記コンテンツ再生リストの再生順に従って、前記車両に設けられた再生装置で前記コンテンツを再生するよう前記複数の携帯無線端末を制御する制御手段と、を備えることを特徴とする。【００１０】
また、本発明に係る記憶媒体は、複数の携帯無線端末に保存されているコンテンツのコンテンツ情報を取得する第１の取得手段、車両の走行状況に関する情報を取得する第２の取得手段、前記第１の取得手段により取得した前記コンテンツ情報と、前記第２の取得手段により取得した前記車両の走行状況に関する情報とを用いて、前記コンテンツを再生するためのコンテンツ再生リストを作成する作成手段、前記作成手段により作成した前記コンテンツ再生リストの再生順に従って、前記車両に設けられた再生装置で前記コンテンツを再生するよう前記複数の携帯無線端末を制御する制御手段、としてコンピュータを機能させるためのリスト作成プログラムを記憶する。
【発明の効果】
【００１１】
本発明によれば、車両の走行状況に応じたコンテンツの再生リストを作成することができる。本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施の形態を示し、その記述と共に本発明の原理を説明するために用いられる。
【図１】システムの構成を示す図である。
【図２】システムの構成を示す図である。
【図３】システムの構成を示す図である。
【図４】コンテンツ再生装置のブロック構成を示す図である。
【図５】携帯無線端末のブロック構成を示す図である。
【図６】サーバのブロック構成を示す図である。
【図７】コンテンツ再生リストを作成を説明するための図である。
【図８】コンテンツ再生制御の処理を示すフローチャートである。
【図９Ａ】コンテンツ再生制御の処理を示すフローチャートである。
【図９Ｂ】コンテンツ再生制御の処理を示すフローチャートである。
【発明を実施するための形態】
【００１３】
［第１の実施形態］
図１は、本実施形態におけるシステムの構成を示す図である。図１のシステムは、車両内に携帯無線端末を保持した乗員が乗車していることを前提とした構成を示している。車両１０１に搭載されたコンテンツ再生装置１０２と、車両１０１に乗車した複数の乗員それぞれが保持する複数の携帯無線端末１０３、１０４、１０５とが含まれる。また、システムには、コンテンツ再生リスト作成プログラムが実装されており、本実施形態の動作は、コンテンツ再生リスト作成プログラムの実行により実現される。本実施形態の動作により、車内の複数の乗員それぞれが保持する携帯無線端末１０３、１０４、１０５で保存されている楽曲等のコンテンツが、車両１０１のドライブ行程における目的地までの走行状況に応じて所定数、選択されて再生される。そして、所定数の再生が終了すると、また、その時点での走行状況に応じて、所定数のコンテンツが選択されて再生される。本実施形態では、そのような構成により、車両１０１の目的地までの行程に応じた変化に富む楽曲の再生が可能となる。
【００１４】
コンテンツ再生装置１０２は、可搬式又は固定式の装置として車両１０１に搭載されており、音楽や音声等の音コンテンツ、静止画や動画等の映像コンテンツといった各種コンテンツを再生可能な装置である。コンテンツ再生装置１０２は、コンテンツを再生することによって、ドライバや同乗者に対して音楽や動画像等の各種エンターテイメントを提供し、また、状況に応じて注意喚起等を提供することが可能である。
【００１５】
コンテンツ再生装置１０２は、搭載された車両１０１の走行情報を取得し、車両１０１内の携帯無線端末１０３、１０４、１０５に送信する。ここで、走行情報とは、車両１０１の駆動に関する情報であり、例えば、車両の起動スイッチ（イグニッションスイッチ）のＯＮ／ＯＦＦの情報や、速度情報である。また、本実施形態では、走行情報には、現在の車両１０１の位置情報も含まれる。また、コンテンツ再生装置１０２は、ＧＰＳ信号等から日時情報を取得して、時間情報や季節情報を取得する。また、コンテンツ再生装置１０２を不図示のナビゲーション装置と一体的に構成しても良い。その場合、コンテンツ再生装置１０２は、乗員から目的地情報が入力された際に、入力された目的地情報を走行情報とともに、車両１０１内の携帯無線端末１０３、１０４、１０５に送信する。
【００１６】
携帯無線端末１０３、１０４、１０５は、例えば、公衆無線通信に接続可能なスマートフォンやタブレット端末、携帯電話、さらには各種ウェアラブル端末である。本実施形態では、携帯無線端末１０３、１０４、１０５は、車両１０１の乗員により一台ずつ所有されているとする。複数の乗員（ドライバ含む）が乗車する場合、複数台の携帯無線端末が車両１０１に持ち込まれる。本実施形態では、車両１０１の乗員を３人とし、それぞれが保持する携帯無線端末を携帯無線端末１０３、１０４、１０５として説明する。しかしながら、携帯無線端末の台数は、３台でなくても良く、２台であっても、４台以上であっても良い。また、１人の乗員が複数の携帯無線端末を保持しても良い。
【００１７】
本実施形態では、例えば、複数の携帯無線端末１０３、１０４、１０５のうち親機となる１台が自身に保管されているコンテンツのコンテンツ情報や、子機となる他の携帯無線端末に保管されているコンテンツのコンテンツ情報を取得する。図１では、携帯無線端末１０３が親機である。そして、親機となる携帯無線端末は、コンテンツ再生装置１０２から取得した走行情報に基づいて、所定数のコンテンツの再生順序を示すコンテンツ再生リストを作成する。親機となる携帯無線端末は、コンテンツ再生リストの順に従って、再生対象のコンテンツが保管されている携帯無線端末に再生指示信号を送信する。再生指示信号を受信した携帯無線端末は、自機に保管されているコンテンツをコンテンツ再生装置１０２に送信してコンテンツ再生装置１０２に再生させる。なお、以下、コンテンツ再生リストは、プレイリストともいう。
【００１８】
コンテンツ情報は、コンテンツに付与されているタグ情報である。コンテンツ情報は、例えば、歌詞、メロディー、テンポ、波長解析データ、発売時期、アーティスト名、楽器種別、タイアップ情報、曲名又はアルバム名称、製作国、レーベル種別、撮影場所であり、また、それらの少なくともいずれかの情報から生成された情報も含む。
【００１９】
図２および図３のシステムは、図１のシステムの変形例であり、以下、それぞれについて図１と異なる点を説明する。
【００２０】
図２は、図１のシステムに対して、サーバ１０６がさらに付加された構成を示している。サーバ１０６は、携帯無線端末１０３、１０４、１０５及びコンテンツ再生装置１０２と、無線通信網等のネットワークを介して接続されており、走行情報及びコンテンツ情報を無線通信網を介して取得する。図２のシステムでは、サーバ１０６が親機として、コンテンツ再生リストの作成を行い、作成したコンテンツ再生リストに従ってコンテンツの再生指示信号を該当する携帯無線端末に送信する。
【００２１】
図３のシステムでは、コンテンツ再生装置１０２が親機となり、携帯無線端末１０３、１０４、１０５からコンテンツ情報を取得する。また、コンテンツ再生装置１０２が親機となり、取得したコンテンツ情報に基づいてコンテンツ再生リストを作成し、作成したコンテンツ再生リストに従いコンテンツの再生指示信号を携帯無線端末１０３、１０４、１０５に送信する。なお、図１〜図３のシステムにおいて、コンテンツはサーバ１０６から購入されるようにしても良い。その場合、図１及び図２のシステムにおいても、コンテンツ再生装置１０２及び携帯無線端末１０３、１０４、１０５と無線通信網を介して接続されたサーバ１０６を備える。図３では、サーバを１つのサーバ装置として示しているが、例えば、クラウドサーバと呼ばれる分散型のサーバ装置として構成されていても良い。
【００２２】
図４は、コンテンツ再生装置１０２のブロック構成を示す図である。制御部４０１は、ＣＰＵ４０２、ＲＯＭ４０３、ＲＡＭ４０４を含んで構成されている。例えば、ＣＰＵ４０２がＲＯＭ４０３に記憶されたプログラムをＲＡＭ４０２に読み出して実行することにより、制御部４０１は、コンテンツ再生装置１０２の各部を統括的に制御する。例えば、制御部４０１は、コンテンツ再生リスト作成プログラムを実行することにより、コンテンツ再生リストを作成し、その再生リストの順に沿って該当する携帯無線端末にコンテンツの再生指示信号を送信する。
【００２３】
センサ部４１０は、ＧＰＳセンサ４１１、車速センサ４１２、ジャイロセンサ４１３を含む。ＧＰＳセンサ４１１は、ＧＰＳ（Ｇｌｏｂａｌ  Ｐｏｓｉｔｉｏｎｉｎｇ  Ｓｙｓｔｅｍ）衛星からの信号に基づいて、コンテンツ再生装置１０２の現在位置を取得する。車速センサ４１２は、回転軸からのパルス信号に基づいて、コンテンツ再生装置１０２の速度情報を取得する。ジャイロセンサ４１３は、コンテンツ再生装置１０２の角速度を検出する。コンテンツ再生装置１０２は、ＧＰＳセンサ４１１、車速センサ４１２、ジャイロセンサ４１３により、コンテンツ再生装置１０２が構成された車両１０１の現在位置や向きを取得することが可能である。また、コンテンツ再生装置１０２は、ＧＰＳセンサ４１１により日時情報を取得する。これらのセンサは、コンテンツ再生装置１０２の外部、例えば車両１０１に構成されていても良く、その場合、各センサの検知信号は、後述の近接無線通信部４３１を介してコンテンツ再生装置１０２に送信される。
【００２４】
イグニッション情報部４４０は、車両１０１内のＣＡＮ（Ｃｏｎｔｒｏｌｌｅｒ  Ａｒｅａ  Ｎｅｔｗｏｒｋ）から情報を取得し、車両１０１のエンジン始動やＥＶシステム起動の起動スイッチ（イグニッションスイッチ）からのイグニッション情報を取得する。イグニッション情報部４４０は、取得したイグニッション情報に基づいて、エンジンが始動したか否か、若しくは、ＥＶシステムが起動したか否かを判定し、その判定結果を制御部４０１に送信する。
【００２５】
記憶部４２０は、半導体メモリやハードディスク等の記憶媒体で構成されており、オペレーティングシステム（ＯＳ）やアプリケーションと呼ばれるソフトウェア、さらにナビゲーション機能で用いる地図情報等が記憶されている。記憶部４２０は、図３のシステムの場合、携帯無線端末１０３、１０４、１０５から受信したコンテンツ情報に基づいて作成したコンテンツ再生リストを記憶するプレイリスト記憶部４２１を含む。
【００２６】
無線部４３０は、近接無線通信部４３１と無線通信網通信部４３２とを含む。近接無線通信部４３１は、Ｗｉ−Ｆｉ（Ｗｉｒｅｌｅｓｓ  Ｆｉｄｅｌｉｔｙ（登録商標））、Ｂｌｕｅｔｏｏｔｈ（登録商標）等の無線通信技術により、車両１０１や携帯無線端末１０３、１０４、１０５と通信する。例えば、コンテンツ再生装置１０２は、携帯無線端末１０３、１０４、１０５に記憶されているコンテンツを、近接無線通信部４３１を介して受信して再生する。また、ＧＰＳセンサ４１１、車速センサ４１２、ジャイロセンサ４１３の各種センサが車両１０１側に備えられている場合、コンテンツ再生装置１０２は、近接無線通信部４３１を介して、車両１０１から各センサの検知信号を取得し、携帯無線端末１０３、１０４、１０５に送信する。なお、本実施形態では、近接無線通信により車両１０１や携帯無線端末１０３、１０４、１０５と通信を行う構成としているが、通信の一部もしくは全てにおいて有線通信が行われるようにしても良い。その場合、別途、有線接続のためのコネクタ部が設けられる。無線通信網通信部４３２は、３Ｇやセルラー、ＬＴＥ通信等の携帯電話網に代表される無線通信網に接続し、サーバ１０６との通信が行われる。また、コンテンツ再生装置１０２は、無線通信網通信部４３２を介して、インターネット回線にも接続可能である。
【００２７】
表示部４４１は、ディスプレイを含み、コンテンツに関するコンテンツ情報、例えば、楽曲名やアーティスト名を表示する。ここで、コンテンツは、映像情報（映像コンテンツ）の場合や、音声情報（音コンテンツ）の場合もある。また、表示部４４１は、コンテンツ以外にも、現在地付近の地図やルート案内情報等の各種情報を表示可能である。入力部４４２は、テンキーと呼ばれるハードウェアスイッチやタッチパネルを含んで構成されており、ドライバや同乗員からの指示や設定操作を受付可能である。オーディオ部４４３は、例えば、アンプやスピーカを含んで構成されており、再生しているコンテンツの音部分を音出力する。ナビゲーション部４４４は、現在地付近の地図に車両１０１の位置を重ね合わせて出力するとともに、目的地が設定されている場合には、目的地までのルート案内を行う。
【００２８】
以上のような構成は、例えば、車載ナビゲーション装置に対して、本実施形態の構成をソフトウェアとして構成することで実現しても良い。
【００２９】
図５は、携帯無線端末１０３、１０４、１０５のブロック構成を示す図である。携帯無線端末１０３、１０４、１０５は、同じ構成を有するので、以下、携帯無線端末１０３を代表として説明する。携帯無線端末１０３には、アプリと呼ばれる各種ソフトウェアがインストール可能である。本実施形態では、アプリを起動することにより、携帯無線端末１０３にインストールされたソフトウェアによって、コンテンツ再生リストの作成が実行される。
【００３０】
制御部５０１は、ＣＰＵ５０２、ＲＯＭ５０３、ＲＡＭ５０４を含んで構成されている。例えば、ＣＰＵ５０２がＲＯＭ５０３に記憶されたプログラムをＲＡＭ５０２に読み出して実行することにより、制御部５０１は、携帯無線端末１０３の各部を統括的に制御する。例えば、制御部５０１は、コンテンツ再生リスト作成プログラムを実行することにより、コンテンツ再生リストを作成し、その再生リストの順に沿って該当する携帯無線端末にコンテンツの再生指示信号を送信する。なお、該当する携帯無線端末が親機自身の場合には、親機となる携帯無線端末は、自身に対してコンテンツの再生指示信号を送信する。
【００３１】
センサ部５１０は、ＧＰＳセンサ５１１、ジャイロセンサ５１２を含み、携帯無線端末１０３の現在位置を取得するために用いられる。なお、携帯無線端末１０３の現在位置は、無線部５４０を介して取得される無線通信網の基地局情報に基づいて取得されても良いし、近接無線通信部５４１を介して車両１０１から取得されても良い。なお、携帯無線端末１０３のセンサ部５１０には、車速センサは構成されないので、携帯無線端末１０３が車両１０１の走行速度を直接測定することはできない。代わりに、携帯無線端末１０３は、近接無線通信部５４１を介して車両１０１から走行速度を取得したり、ＧＰＳセンサ５１１によって取得した位置情報の時系列変化から走行速度を算出するようにしても良い。また、携帯無線端末１０３は、ＧＰＳセンサ５１１や無線通信網の基地局からの情報に基づいて、日時情報を取得することが可能である。
【００３２】
記憶部５３０は、半導体メモリ等の記憶媒体で構成されており、オペレーティングシステム（ＯＳ）やアプリケーションと呼ばれるソフトウェア、さらにコンテンツに関する情報が記憶されている。コンテンツに関する情報として、図１のシステムの親機の場合、コンテンツ再生リストがプレイリスト記憶部５３１に記憶され、コンテンツがコンテンツ記憶部５３２に記憶されている。ここでのコンテンツは、例えば、サーバ１０６から購入して取得されたコンテンツ、若しくは、図１のシステムの親機の場合には、他の携帯無線端末から取得したコンテンツである。なお、記憶部５３０は、ナビゲーション用の制御ソフトウェアや地図情報、さらにルート案内情報を記憶するようにしても良い。
【００３３】
無線部５４０は、近接無線通信部５４１と無線通信網通信部５４２とを含む。近接無線通信部５４１は、Ｗｉ−Ｆｉ（Ｗｉｒｅｌｅｓｓ  Ｆｉｄｅｌｉｔｙ（登録商標））、Ｂｌｕｅｔｏｏｔｈ（登録商標）等の無線通信技術により、コンテンツ再生装置１０２及び他の携帯無線端末と通信する。無線通信網通信部５４２は、３Ｇやセルラー等の携帯電話網に代表される無線通信網に接続し、サーバ１０６との通信を行う。
【００３４】
表示部５５０は、ＬＣＤ（Ｌｉｑｕｉｄ  Ｃｒｙｓｔａｌ  Ｄｉｓｐｌａｙ）、有機ＥＬ等のディスプレイ等を含んで構成されている。表示部５５０は、制御部５０１からの指示により、映像コンテンツや音コンテンツに関する情報、また、ナビゲーション用の地図やルート案内、タッチパネル用の操作ボタンのアイコン等の各種情報を表示する。入力部５５１は、テンキーと呼ばれるハードウェアスイッチやタッチパネルを含んで構成されており、携帯無線端末１０３のユーザであるドライバや同乗員の指示や設定操作を受付可能である。
【００３５】
音声出力部５５２は、例えば、アンプやスピーカを含んで構成されており、コンテンツの音部分を音出力する。ナビゲーション部５２０は、現在地付近の地図に車両１０１の位置を重ね合わせて出力するとともに、目的地が設定されている場合、目的地までのルート案内を行う。
【００３６】
図６は、サーバ１０６のブロック構成を示す図である。制御部６０１は、ＣＰＵ６０２、ＲＯＭ６０３、ＲＡＭ６０４を含んで構成されている。例えば、ＣＰＵ６０２がＲＯＭ６０３に記憶されたプログラムをＲＡＭ６０２に読み出して実行することにより、制御部６０１は、サーバ１０６の各部を統括的に制御する。例えば、制御部６０１は、コンテンツ再生リスト作成プログラムを実行することにより、コンテンツ再生リストを作成し、その再生リストの順に沿って該当する携帯無線端末にコンテンツの再生指示信号を送信する。なお、本実施形態では、サーバを１つのサーバ装置として説明するが、クラウドサーバと呼ばれる分散型のサーバ装置を構成し、個々の機能を実現するようにしても良い。
【００３７】
記憶部６１０は、半導体メモリやハードディスクドライブ等の記憶媒体で構成されており、オペレーティングシステム（ＯＳ）やアプリケーションと呼ばれるソフトウェアや各種の情報やデータを記憶する。図６に示すように、記憶部６１０には、記憶エリアとしてコンテンツエリア６２０とナビゲーションエリア６３０が確保されている。図２のシステムの場合、コンテンツエリア６２０には、携帯無線端末１０３、１０４、１０５から取得したコンテンツ情報に基づき作成されたコンテンツ再生リストがプレイリスト情報６２１として記憶される。また、コンテンツ再生装置１０２や携帯無線端末１０３、１０４、１０５に配信する各種コンテンツのコンテンツ情報がコンテンツ情報６２３として記憶される。また、携帯無線端末１０３、１０４、１０５のユーザ情報がユーザ情報６２２として記憶される。
【００３８】
図２のシステムの場合、制御部６０１は、コンテンツエリア６２０に記憶されたユーザ情報６２２に基づいて、例えば、携帯無線端末１０３、１０４、１０５が本システムのサービスの加入者であるか否かを判定する。さらに、加入者であると判定した場合に、制御部６０１は、同じ車両１０１に乗車しているか否かを、位置情報等に基づいて判定する。そして、制御部６０１は、同じ車両１０１に乗車している携帯無線端末１０３、１０４、１０５についてのみ、コンテンツ再生リストを作成する。そのような構成により、車両１０１以外の関係のない場所にコンテンツを配信してしまうということを防ぐことができる。
【００３９】
ナビゲーションエリア６３０には、道路情報を含む地図情報６３１が記憶される。また、ナビゲーションエリア６３０には、属性情報６３２が記憶される。属性情報６３２は、例えば、緯度経度と共に格納される施設や検索のための住所や電話番号、ナビゲーションのルート計算に必要な情報である。また、ナビゲーションエリア６３０には、交通規制や渋滞等の交通イベント注意情報を含む交通イベント注意情報６３３が記憶される。ナビゲーションエリア６３０の構成により、コンテンツ再生装置１０２や携帯無線端末１０３、１０４、１０５がナビゲーション機能を備えていない場合でも、サーバ１０６が、コンテンツ再生装置１０２や携帯無線端末１０３、１０４、１０５と通信することにより、ナビゲーション機能を提供することが可能となる。
【００４０】
通信部６４０は、インターネット回線や無線通信網に接続されており、車両１０１や携帯無線端末１０３、１０４、１０５との通信を行う。
【００４１】
図８は、本実施形態におけるコンテンツ再生制御の処理を示すフローチャートである。図８の各処理は、システムが図１〜図３のいずれであるかにより、コンテンツ再生装置１０２、携帯無線端末１０３、１０４、１０５、若しくはサーバ１０６において実行される。図８の処理は、例えば、複数の乗員が携帯無線端末１０３、１０４、１０５を所持して車両１０１に乗車し、携帯無線端末１０３、１０４、１０５の制御部５０１が、乗員からのコンテンツ再生リストの作成アプリの実行を受け付けると開始される。
【００４２】
コンテンツ再生リストの作成アプリの実行が開始されると、Ｓ１０１において、まず、携帯無線端末１０３、１０４、１０５はそれぞれ、近接無線通信部５４１を介して、自機の識別情報を含む信号を近接無線通信部５４１を介して発信する。これにより、各携帯無線端末は、他の携帯無線端末の存在を認識し、各携帯無線端末の識別情報を取得する。また、コンテンツ再生装置１０２も、携帯無線端末１０３、１０４、１０５の存在を認識し、各携帯無線端末の識別情報を取得する。また、コンテンツ再生装置１０２は、受信した信号の発信元の各携帯無線端末に対して、コンテンツ再生装置１０２の識別情報を送信する。
【００４３】
このように、コンテンツ再生リストの作成アプリが実行されると、車内において、携帯無線端末１０３、１０４、１０５と、コンテンツ再生装置１０２とが相互に存在を認識し、通信可能な状態となる。また、以降のコンテンツ再生リストの作成アプリに関する通信は、存在を認識していない端末や装置に対しては行わない。これにより、車内空間を所定の無線通信範囲と規定することができ、例えば、車外にある本実施形態の動作に関係のない端末や装置に対してコンテンツを送信してしまうということを防ぐことができる。また、図２のシステムの場合は加えて、既に述べたように、サーバ１０６の制御部６０１が、同じ車両１０１に乗車している携帯無線端末１０３、１０４、１０５についてのみコンテンツ再生リストを作成する。そのような構成により、コンテンツの漏洩を防ぐことができる。
【００４４】
そして、Ｓ１０１では、コンテンツ再生リストを作成する役割を有する装置（以下、親機とする）が決定される。図１のシステムの場合には、例えば、近接無線通信部５４１を介した複数の携帯無線端末間のネゴシエーションにより決定される。ここで、ネゴシエーションの基準は、例えば、最多数のコンテンツを保持している携帯無線端末を親機として決定するといったものでも良い。図２のシステムの場合には、サーバ１０６が親機として決定される。また、図３のシステムの場合には、コンテンツ再生装置１０２が親機として決定される。以下、いずれのシステムにおける親機であるかによらず、総称して「親機」として説明する。
【００４５】
Ｓ１０２では、親機の制御部は、各携帯無線端末１０３、１０４、１０５から、コンテンツに付与されているタグ情報であるコンテンツ情報を取得する。親機の制御部は、例えば、各携帯無線端末に対してコンテンツ情報を要求し、その要求に対する応答としてコンテンツ情報を取得する。コンテンツ情報には、歌詞、メロディー、テンポ、波長解析データ、発売時期、アーティスト名、楽器種別、タイアップ情報、曲名又はアルバム名称、製作国、レーベル種別、撮影場所の情報、が含まれる。コンテンツ情報は、さらに、上記の情報に基づいて生成された情報を含んでも良い。
【００４６】
Ｓ１０３では、親機の制御部は、携帯無線端末やコンテンツ再生装置１０２から、将来要素に関する情報と現在要素に関する情報を取得する。ここで、将来要素に関する情報と現在要素に関する情報について説明する。
【００４７】
将来要素に関する情報は、車両１０１のドライブ行程における目的地に関する情報であり、例えば、車両１０１の目的地の位置情報や、目的地付近の地形、建物、地域、時間、昼夜、天気、季節等の情報である。これらは、携帯無線端末１０３、１０４、１０５や車両１０１のナビゲーション機能から取得可能である。若しくは、携帯無線端末１０３、１０４、１０５やコンテンツ再生装置１０２が、インターネット回線を介して上記の各情報を取得しても良い。
【００４８】
現在要素に関する情報は、車両１０１のドライブ行程における現在地の走行状況に関する情報であり、例えば、車両１０１の現在地の位置情報、現在地付近の地形、建物、地域、時間、昼夜、天気、季節等の情報である。車両１０１の現在の位置情報は、車両１０１やコンテンツ再生装置１０２から取得可能である。また、現在地付近の地形、建物、地域、時間、昼夜、天気、季節等の情報は、例えば、携帯無線端末１０３、１０４、１０５やコンテンツ再生装置１０２により、ＧＰＳ信号やインターネットから取得可能である。
【００４９】
Ｓ１０４では、親機の制御部は、Ｓ１０３で取得した現在要素に関する情報と将来要素に関する情報とに基づいて、コンテンツ再生リストの作成に対する、現在要素と将来要素のそれぞれの寄与度を決定する。ここで、寄与度とは、コンテンツ再生リストを作成する際の曲の選択に対してどの程度の影響を及ぼすかという指標である。例えば、寄与度は、目的地までの到達度合いであっても良く、親機は、車両１０１の現在位置が目的地からどれくらい離間しているかに基づいて、現在要素と将来要素のそれぞれの寄与度を決定する。Ｓ１０５では、親機の制御部は、Ｓ１０４で決定された寄与度に基づいて、所定数のコンテンツの再生のためのコンテンツ再生リストを作成する。
【００５０】
図７は、本実施形態におけるコンテンツ再生リストの作成を説明するための図である。本実施形態では、車両１０１の現在位置での走行状況に応じて、コンテンツの再生リストを作成するための選曲の基準を変化させることができる。図７に示すように、車両１０１が現在、スタート地点から間もない位置にある場合、その時点で作成されるコンテンツ再生リストは、現在要素を９０％、将来要素を１０％の各割合で考慮して選曲したリストとなる。例えば、現在地の「神奈川」（現在要素に関する情報）にちなんだ曲が９曲選択され、目的地の「新潟」（将来要素に関する情報）にちなんだ曲が１曲選択される。これが、車両１０１が中間地点に到達した時点では、現在要素を５０％、将来要素を５０％の各割合で考慮した、例えば、現在地の「埼玉」にちなんだ曲が５曲選択され、目的地の「新潟」にちなんだ曲が５曲、選択されたリストが作成される。また、車両１０１が目的地付近に到達した時点では、現在要素を１０％、将来要素を９０％の各割合で考慮した、例えば、現在地の「群馬」にちなんだ曲が１曲選択され、目的地の「新潟」にちなんだ曲が９曲、選択されたリストが作成される。
【００５１】
現在要素若しくは将来要素に関する情報と、選択される曲との間では、例えば、以下のような関係性が用いられる。例えば、Ｓ１０２で取得した各コンテンツのコンテンツ情報と、現在要素との間の類似性をスコアリングする。スコアリングでは、合致する項目が多いほど高いスコアが付与される。合致する項目があるとは、例えば、アーティストの出身地と現在地とが合致する、歌詞内の「夏」「サマー」の言葉と現在の季節とが合致する、歌詞から類推される情景（例えば、夜）と現在の時刻情報とが合致する、などである。また、現在の車速が一定の高速度であり、且つ、曲が所定のテンポ以上である場合には、合致すると判断するようにしても良い。このようなスコアリングを将来要素についても行う。
【００５２】
上記のようなスコアリングを行い、例えば、現在要素について２曲選択する場合には、現在要素についてスコアが上位の所定曲数（例えば１０曲）から２曲をランダムに選択する。また、将来要素について８曲選択する場合には、将来要素についてスコアが上位の１０曲から８曲をランダムに選択する。そして、選択された曲については、スコア順から除外し、次回のリストの作成における選曲の際には、既に選択した曲を除外した状態でスコアが上位の１０曲から、選択するようにする。
【００５３】
どのような関係性を用いるかについては、上記以外の方法が用いられても良い。例えば、Ｓ１０１でアプリが実行されたときに、コンテンツ再生装置１０２の表示部４４１で表示されるユーザインタフェース画面上で設定可能としても良い。例えば、「現在位置と目的地」、「時間」、「季節」といった設定項目を、類似性に基づいてスコアリングするための条件として選択可能に表示しても良い。例えば、「季節」の設定項目の選択を受付けなかった場合には、上記の合致の判断において「季節」の項目を除外することができる。
【００５４】
現在要素と将来要素のそれぞれについて選択された曲の再生順については、ランダムに決定する。その結果、次にどのような曲が再生されるかという期待感を乗員に抱かせることができる。しかしながら、所定の基準に基づいて再生順を決定するようにしても良い。
【００５５】
Ｓ１０６では、親機の制御部は、Ｓ１０５で作成したコンテンツ再生リストの再生順に従って、コンテンツの再生の旨を示す再生指示信号を、再生対象のコンテンツを記憶部５３０に記憶する携帯無線端末に送信する。図１のシステムの場合、親機である携帯無線端末１０３が、該当する携帯無線端末に再生指示信号を送信する。また、図２のシステムの場合、親機であるサーバ１０６が、該当する携帯無線端末に再生指示信号を送信する。また、図３のシステムの場合、コンテンツ再生装置１０２が、該当する携帯無線端末に再生指示信号を送信する。
【００５６】
Ｓ１０７では、再生指示信号を受信した携帯無線端末の制御部は、コンテンツ再生装置１０２に対してコンテンツを送信し、コンテンツの再生を指示する。コンテンツ再生装置１０２は、受信したコンテンツを再生する。コンテンツ再生装置１０２は、受信したコンテンツの再生が終了すると、終了通知を親機に送信する。また、コンテンツ再生装置１０２は、再生が終了したコンテンツをコンテンツ再生装置１０２から削除する。
【００５７】
上記では、コンテンツ再生装置１０２がコンテンツを再生するとして説明したが、該当する携帯無線端末にて再生するようにしても良い。そのような構成により、コンテンツの移動を防ぎ、コンテンツが漏洩する可能性を低減することができる。また、再生指示信号を受信した携帯無線端末の制御部は、一旦、再生指示信号を受信した旨を表示部５５０に表示し、ユーザによる確認操作に応じて、コンテンツ再生装置１０２に対してコンテンツを送信するようにしても良い。例えば、「当たり」表示など、表示の態様を１曲ごとに変化させるようにして、乗員が自身の携帯無線端末の表示を会話の源とすることができる。
【００５８】
Ｓ１０８では、親機の制御部は、再生したコンテンツがコンテンツ再生リストの最終コンテンツであったか否かを判定する。最終コンテンツであったと判定した場合、Ｓ１０９に進む。最終コンテンツでないと判定した場合、Ｓ１０６からの処理を繰り返す。
【００５９】
Ｓ１０９では、親機の制御部は、次のコンテンツ再生リストの作成が必要であるか否かを判定する。この判定は、例えば、現在位置が目的地から所定の閾値以内の距離、例えば、目的地近傍に近づいた場合には、次のコンテンツ再生リストの作成は必要でないと判定するようにしても良い。Ｓ１０９で次のコンテンツ再生リストの作成が必要であると判定された場合、Ｓ１０３からの処理を繰り返す。一方、次のコンテンツ再生リストの作成が必要でないと判定された場合、図８の処理を終了する。
【００６０】
上記のように、本実施形態では、現在要素と将来要素のそれぞれの寄与度に応じて、コンテンツ再生リストが作成される。以下、一例として、１台の車両１０１に３名で乗車し、東京都港区を出発して栃木県茂木町の遊園地併設のサーキット施設に向かうケースを説明する。なお、以下の例では、図１のシステムであるとして説明する。
【００６１】
まず、３名が車両に乗車すると、それぞれが携帯無線端末１０３、１０４、１０５のコンテンツ再生リストの作成アプリを実行する。すると、３台の携帯無線端末は、相互にネゴシエーションを行い、親となる携帯無線端末が決定される（Ｓ１０１）。
【００６２】
親となる携帯無線端末は、３名の乗員それぞれが持つ携帯無線端末１０３、１０４、１０５からコンテンツ情報を取得する。本例では、コンテンツは楽曲のコンテンツとし、親となる携帯無線端末は、図１の携帯無線端末１０３とする。つまり、携帯無線端末１０３は、他の携帯無線端末１０４、１０５からコンテンツ情報を取得して、自身が保持するコンテンツ情報とともにコンテンツ記憶部５３２に記憶する（Ｓ１０２）。
【００６３】
次に、携帯無線端末１０３は、コンテンツ再生装置１０２及び携帯無線端末１０３から、将来要素に関する情報と現在要素に関する情報を取得する（Ｓ１０３）。ここで、携帯無線端末１０３は、取得した現在要素に関する情報から、車両１０１が現在、ドライブ行程が１０％の位置である例えば港区を走行していると判定したとする。その場合、携帯無線端末１０３は、現在要素の寄与率を９０％と決定し、現在要素に関する情報に基づいて、著名な電波塔であるタワーや現在の天気である雨、さらに季節である春に関連する要素を持つコンテンツを、所定数の曲分の９０％の曲数分、選択する。例えば、所定数が１０曲であれば、９曲が選択される。さらに、携帯無線端末１０３は、目的地である茂木町に関する情報を含む将来要素の寄与率を１０％と決定し、将来要素に関する情報に基づいて、所定数の曲分の１０％の曲数分、選択する。ここでは、所定数が１０曲であれば、残りの１曲が選択される。携帯無線端末１０３は、選択した９曲と１曲とでコンテンツ再生リストを作成する（Ｓ１０４、Ｓ１０５）。どの曲を選択するかということと、選択された曲の再生順については、例えば上記で述べたような方法が用いられる。
【００６４】
携帯無線端末１０３は、作成したコンテンツ再生リストの再生順に従って、各コンテンツが記憶されている携帯無線端末に対して再生指示信号を送信する（Ｓ１０６）。楽曲の再生指示信号を受信した携帯無線端末は、コンテンツをコンテンツ再生装置１０２に送信してコンテンツを再生させる（Ｓ１０７）。
【００６５】
１０曲のコンテンツ再生リストによるコンテンツの再生が終了すると（Ｓ１０８：Ｙｅｓ）、携帯無線端末１０３は、その時点で走行している地点を現在要素として、新たなコンテンツ再生リストを作成する（Ｓ１０９：Ｙｅｓ〜Ｓ１０５）。例えば、取得した現在要素の情報から、現在位置が茨城県笠間市を走行していると判定した場合、携帯無線端末１０３は、現在要素の寄与率を２０％と決定し、現在要素に関する情報として笠間市の特産物である焼き物や栗に関連するコンテンツを２曲選択する。さらに、携帯無線端末１０３は、将来要素の寄与率を８０％と決定し、将来要素に関する情報、例えば茨城県茂木市の特産物に基づいて、８曲を選択する。そして、携帯無線端末１０３は、選択した２曲と８曲とでコンテンツ再生リストを作成する。
【００６６】
上記のような構成により、目的地が近くなると目的地にちなんだコンテンツがより多く再生される。その結果、ドライブをコンテンツによって演出することができる。また、上記の例では、再生されるコンテンツは、３名の携帯無線端末１０３、１０４、１０５に記憶されているものである。そのため、１名が携帯無線端末に保持しているコンテンツ数よりも多くの再生の選択肢が生じ、同じコンテンツが再生されることに比べて飽きられにくい。また、再生されるコンテンツは、３名のうちの誰かが保持しているコンテンツである。そのため、例えば、誰が保持していたコンテンツであったかを当てるクイズをしたり、また、コンテンツに関する解説をしたり等、長時間のドライブにおいても話題の源を提供し続けることができる。
【００６７】
なお、本実施形態では、コンテンツ再生リストを所定のコンテンツ数（例えば１０曲）で示したが、コンテンツ数ではなく、「３０分間」等の所定の合計時間で構成するようにしても良い。例えば、上述の方法により１０曲を選択し、再生時間の総計が３０分を超える場合、選択した曲の削除や、再選択を行うようにしても良い。例えば、選択した曲のいずれかを削除することで総計が３０分に収まるのであれば、その削除を行うようにしても良い。その際、現在要素に関する情報に基づいて選択された曲は、将来要素に関する情報に基づいて選択された曲よりも優先度が高いとして、将来要素に関する情報に基づいて選択された曲のいずれかを削除するようにしても良い。また、いずれの優先度が高いかについてユーザインタフェース画面等で予め設定可能とし、優先度が低い方の情報に基づいて選択された曲から削除するようにしても良い。また、削除を行った後、再生時間が所定の３０分に収まるような曲を再選択しても良い。
【００６８】
［第２の実施形態］
次に、コンテンツの再生後にコンテンツの評価値を設定する構成について説明する。以下、第１の実施形態と異なる点について説明する。本実施形態では、親機となるコンテンツ再生装置１０２、携帯無線端末１０３、１０４、１０５、サーバ１０６にコンテンツの評価値を設定する機能を備えている。本実施形態では、コンテンツの再生後にそのコンテンツの評価値が低かった場合には、次回のコンテンツ再生リストの作成時に、当該コンテンツを選択から除外したり、選択されにくくすることができる。
【００６９】
図９Ａ及び図９Ｂは、本実施形態におけるコンテンツ再生制御の処理を示すフローチャートである。図９Ａ及び図９Ｂの各処理は、コンテンツ再生装置１０２、携帯無線端末１０３、１０４、１０５、サーバ１０６のいずれかにおいて実行される。Ｓ２０１〜Ｓ２０４は、図８のＳ１０１〜Ｓ１０４における説明と同じであるので、その説明を省略する。
【００７０】
Ｓ２０５では、親機の制御部は、コンテンツの再生リストの作成対象の特定を開始する。ここでは、親機の制御部は、Ｓ２０２で取得した複数のコンテンツ情報について、Ｓ２０６〜Ｓ２０９の処理を行う順を決定する。
【００７１】
Ｓ２０６では、親機の制御部は、Ｓ２０５で決定された順に従って、対象のコンテンツ情報がコンテンツの再生リストの作成対象となるか否かを判定する。この判定は、例えば、以下のような手順で行う。本実施形態では、コンテンツ情報には、コンテンツの評価値を示すフラグ情報が含まれている。フラグ情報は、例えば、数値で表されており、親機の制御部は、フラグ情報が所定の条件を満たすか否かに基づいて、そのコンテンツ情報はコンテンツの再生リストの作成対象となるか否かを判定する。例えば、フラグ情報が所定の閾値以上であれば、そのフラグ情報は所定の条件を満たし、そのコンテンツ情報はコンテンツの再生リストの作成対象となると判定する。一方、所定の閾値未満であれば、そのフラグ情報は所定の条件を満たさず、そのコンテンツ情報はコンテンツの再生リストの作成対象とならないと判定する。Ｓ２０６で対象のコンテンツ情報がコンテンツの再生リストの作成対象とならないと判定された場合、Ｓ２０７へ進み、親機の制御部は、Ｓ２０５で決定された順に従って次のコンテンツ情報を特定し、Ｓ２０６の処理を繰り返す。一方、Ｓ２０６で対象のコンテンツ情報がコンテンツの再生リストの作成対象となると判定された場合、Ｓ２０８へ進み、親機の制御部は、そのコンテンツ情報をコンテンツの再生リストの作成対象として特定する。
【００７２】
Ｓ２０８の後、Ｓ２０９では、親機の制御部は、Ｓ２０２で取得した全てのコンテンツ情報についてＳ２０６の判定処理を終了したか否かを判定する。全てのコンテンツ情報についてＳ２０６の判定処理を終了していないと判定された場合、Ｓ２０７へ進み、次のコンテンツ情報が特定され、Ｓ２０６からの処理が繰り返される。一方、全てのコンテンツ情報についてＳ２０６の判定処理を終了したと判定された場合、Ｓ２１０へ進む。
【００７３】
Ｓ２１０では、親機の制御部は、Ｓ２０８で特定されたコンテンツ情報の中で、コンテンツ再生リストの作成を行う。コンテンツ再生リストの作成については、第１の実施形態で説明したとおりである。Ｓ２１１、Ｓ２１２は、図８のＳ１０６、Ｓ１０７における説明と同じであるので、その説明を省略する。
【００７４】
Ｓ２１３では、親機の制御部は、Ｓ２１１で再生指示信号を送信したコンテンツについて通常の再生が行われたか否かを判定する。例えば、親機の制御部は、再生の途中で、音量を下げる操作や、早送り、スキップ等の操作があれば、通常の再生が行われなかったと判定してＳ２１４へ進む。Ｓ２１４では、親機の制御部は、各操作に対応した値をフラグ情報としてコンテンツ情報に付加する。例えば、スキップ等、その曲全体を聴くことをやめるような操作は、音量を下げる操作よりも絶対値の大きい負値が加算されても良い。また、リピート等、その曲を繰り返すような操作が行われた場合には、正値が加算されても良い。Ｓ２１３でコンテンツの通常の再生が行われたと判定された場合、若しくは、Ｓ２１４の後、Ｓ２１５に進む。
【００７５】
Ｓ２１５、Ｓ２１６は、図８のＳ１０８、Ｓ１０９における説明と同じであるので、その説明を省略する。
【００７６】
以上のように、本実施形態によれば、評価値が低いコンテンツについては、好感度が低いとみなし、次のコンテンツ再生リストにおいて再生されにくくすることができる。また、本実施形態では、音量を下げる操作や、早送りやスキップの操作についてフラグ情報を付加すると説明した。しかしながら、他の要素に基づいて、フラグ情報を付加するようにしても良い。例えば、車内での否定的な声や、車内のピラー部分等に設けられた車内カメラで撮影された否定的な顔画像などに基づいて、フラグ情報として負値を加算するようにしても良い。また、肯定的な声や肯定的な顔画像に基づいて、フラグ情報として正値を加算するようにしても良い。あるいは、スキップ等の各操作と、上記の声情報や顔情報と合わせて、付加するフラグ情報の値を総合的に決定するようにしても良い。
【００７７】
＜実施形態のまとめ＞
上記各実施形態のリスト作成プログラムは、複数の携帯無線端末（１０３、１０４、１０５）に保存されているコンテンツのコンテンツ情報を取得する第１の取得手段（Ｓ１０２、Ｓ２０２）、車両の走行状況に関する情報を取得する第２の取得手段（Ｓ１０３、Ｓ２０３）、前記第１の取得手段により取得した前記コンテンツ情報と、前記第２の取得手段により取得した前記車両の走行に関する情報とを用いて、前記コンテンツを再生するためのコンテンツ再生リストを作成する作成手段（Ｓ１０５、Ｓ２１０）、前記作成手段により作成した前記コンテンツ再生リストの再生順に従って、前記車両に設けられた再生装置で前記コンテンツを再生するよう前記複数の携帯無線端末を制御する制御手段（Ｓ１０６、Ｓ２１１）、としてコンピュータを機能させる。
【００７８】
そのような構成により、例えば、複数の携帯無線端末からコンテンツを収集できるので、１名が保持しているコンテンツ数よりも多くの選択枝が生じ、バリエーションに富むコンテンツ再生リストを作成することができる。
【００７９】
また、前記制御手段は、前記コンテンツを前記再生装置に送信するよう、当該コンテンツを保持する携帯無線端末に再生指示信号を送信することを特徴とする。そのような構成により、例えば、車両に搭載された再生装置にコンテンツを送信するように携帯無線端末を制御することができる。
【００８０】
また、前記コンテンツ情報は、前記コンテンツに付与されたタグ情報であり、当該タグ情報は、歌詞、メロディー、テンポ、波長解析データ、発売時期、アーティスト名、楽器種別、タイアップ情報、曲名又はアルバム名称、製作国、レーベル種別、撮影場所の情報、のうち少なくともいずれかを含むことを特徴とする。
【００８１】
そのような構成により、例えば、歌詞、メロディー、テンポ、波長解析データ、発売時期、アーティスト名、楽器種別、タイアップ情報、曲名又はアルバム名称、製作国、レーベル種別、撮影場所の情報をコンテンツ情報として用いることができる。
【００８２】
また、前記車両の走行状況に関する情報は、車両の位置情報、車両の目的地情報、車両の速度情報、車両のドライブ行程における時間情報、車両のドライブ行程における天気の情報、車両のドライブ行程における季節の情報の少なくともいずれかを含むことを特徴とする。
【００８３】
そのような構成により、より走行状況に応じた適切なコンテンツ再生リストを作成することができる。
【００８４】
また、前記複数の携帯無線端末のうちのいずれかを、前記作成手段および前記制御手段として機能させる。そのような構成により、携帯無線端末間でコンテンツの転送が行われないので、携帯無線端末間での無線通信の負荷を低減し、携帯無線端末間でのコンテンツの意図しない転送を防ぐことができる。
【００８５】
また、前記複数の携帯無線端末とネットワークを介して通信可能なサーバを、前記作成手段および前記制御手段として機能させる。そのような構成により、携帯無線端末とサーバ間でコンテンツの転送が行われないので、携帯無線端末とサーバ間の無線通信の負荷を低減し、携帯無線端末とサーバ間でのコンテンツの意図しない転送を防ぐことができる。
【００８６】
また、前記複数の携帯無線端末と近接無線通信により通信可能なコンテンツ再生装置を、前記作成手段および前記制御手段として機能させる。そのような構成により、携帯無線端末間での無線通信が行われないので、携帯無線端末間での無線通信の負荷を低減することができる。
【００８７】
また、前記複数の携帯無線端末は、所定の無線通信範囲内にあることを特徴とする。また、前記所定の無線通信範囲は、前記車両の車内空間であることを特徴とする。そのような構成により、コンテンツが意図せず漏洩してしまうことを防ぐことができる。また、同じ車両に乗車している乗員の携帯無線端末に保持されているコンテンツが再生されるので、乗員に会話の源を提供することができる。
【００８８】
本発明は上記実施の形態に制限されるものではなく、本発明の精神及び範囲から離脱することなく、様々な変更及び変形が可能である。従って、本発明の範囲を公にするために、以下の請求項を添付する。
【００８９】
本願は、２０１７年７月４日提出の日本国特許出願特願２０１７−１３１４５７を基礎として優先権を主張するものであり、その記載内容の全てを、ここに援用する。
【符号の説明】
【００９０】
１０１  車両：  １０２  コンテンツ再生装置：  １０３、１０４、１０５  携帯無線端末：  １０６  サーバ：  ４０１、５０１、６０１  制御部：  ４０２、５０２、６０２  ＣＰＵ
【図１】
2019009039.tif 000003
【図２】
2019009039.tif 000004
【図３】
2019009039.tif 000005
【図４】
2019009039.tif 000006
【図５】
2019009039.tif 000007
【図６】
2019009039.tif 000008
【図７】
2019009039.tif 000009
【図８】
2019009039.tif 000010
【図９Ａ】
2019009039.tif 000011
【図９Ｂ】
2019009039.tif 000012
【国際調査報告】
2019009039.tif 000013
2019009039.tif 000014
2019009039.tif 000015